(57)【要約】【課題】  本発明は、移動機が制御チャネルのレベル（ＲＳＳＩ）を測定して、制御チャネル起動用テーブルを作成するときに、通話チャネルの起動成功率を考慮して起動する制御チャネルの優先度を決定する移動機を提供することを目的とする。【解決手段】  選択されたチャネルで基地局との間で無線通信を行う無線通信機において、予め定められた複数の制御チャネルを監視する監視手段と、監視手段による監視結果に基づいて、制御チャネルを選択する優先度を決定する優先度決定手段と、優先度決定手段が決定した優先度に基づいて、無線通信機が使用する制御チャネルを選択するチャネル選択手段とを備え、優先度決定手段は、制御チャネルのうち、ある制御チャネルから通信用チャネルの起動に成功すると、起動に成功した通信用チャネルに対応する制御チャネルの優先度を変更することを特徴とする。【選択図】図１
2010283866.tif 000002
【特許請求の範囲】
【請求項１】
選択されたチャネルで基地局との間で無線通信を行う無線通信機において、
予め定められた複数の制御チャネルを監視する監視手段と、
前記監視手段による監視結果に基づいて、制御チャネルを選択する優先度を決定する優先度決定手段と、
前記優先度決定手段が決定した優先度に基づいて、前記無線通信機が使用する制御チャネルを選択するチャネル選択手段とを備え、
前記優先度決定手段は、前記制御チャネルのうち、ある制御チャネルから通信用チャネルの起動に成功すると、前記起動に成功した通信用チャネルに対応する制御チャネルの優先度を変更することを特徴とする無線通信機。
【請求項２】
前記優先度決定手段は、
前記通信が成立したチャネルに関する制御チャネルの監視結果を変更する監視結果変更手段を有し、
前記監視結果変更手段が当該チャネルに関する監視結果を変更することによって、当該チャネルに関する優先度が変更されることを特徴とする請求項１に記載の無線通信機。
【請求項３】
前記優先度決定手段は、
前記通信が成立したチャネルに関する制御チャネルの優先度を上位に変更する優先順位変更手段を有し、
前記優先順位変更手段が当該チャネルに関する順位を上位に変更することによって、当該チャネルに関する優先度が変更されることを特徴とする請求項１に記載の無線通信機。
【請求項４】
前記無線通信として第１の手順による通信と、第２の手順による通信とを行う通信手段を備え、
前記優先度決定手段は、第１の手順による通信と、第２の手順による通信とで別に制御チャネルの優先度を設定することを特徴とする請求項１から３のいずれか一つに記載の無線通信機。
【請求項５】
前記通信手段が、前記第１の手順による通信から前記第２の手順による通信に、又は、前記第２の手順による通信から前記第１の手順による通信に変更をするとき、
変更先の通信手順で用いる制御チャネルに関する情報を前記無線通信機が取得していないときは前記制御チャネルの優先度の変更を解除し、
変更先の通信手順で用いる制御チャネルに関する情報を前記無線通信機が取得することができれば、当該取得した情報に基づいて、変更後の通信手順で用いる制御チャネルの優先度を変更することを特徴とする請求項４に記載の無線通信機。
【請求項６】
前記第１の手順による通信は音声通信であり、前記第２の手順による通信はパケット通信であることを特徴とする請求項５に記載の無線通信機。
【請求項７】
前記優先度決定手段は、待受中に、待受に用いる制御チャネルを変更するときは、前記制御チャネルの優先度の変更を解除することを特徴とする請求項１から６のいずれか一つに記載の無線通信機。
【請求項８】
前記優先度決定手段は、通信中に、通信用チャネルを変更するときに、変更先の通信用チャネルに関する情報を前記無線通信機が取得していないときは前記制御チャネルの優先度の変更を解除し、変更先の通信用チャネルに関する情報を前記無線通信機が取得することができれば、当該取得した情報に基づいて、変更先の制御チャネルの優先度を変更することを特徴とする請求項１から７のいずれか一つに記載の無線通信機。
【発明の詳細な説明】
【技術分野】
【０００１】
本発明は、無線通信端末機に関し、特に、複数のチャネルから通信に適したチャネルを選択する移動体通信端末機に関する。
【背景技術】
【０００２】
携帯無線機等の無線通信端末機（移動機）は、基地局との間に電波による通信回線を設定し、無線により音声、データ等を送受して通信を行う。特に、パケットによりデータ通信を行う移動機においては、音声通信は通話チャネル（ＴＣＨ）で、パケット通信はユーザーパケットチャネル（ＵＰＣＨ）で通信を行っている。これらの通信に用いられる通信用チャネル（ＴＣＨ、ＵＰＣＨ）は、制御チャネル（ＣＣＨ）から起動され、周辺セルの制御チャネルは報知チャネル（ＢＣＣＨ）で基地局から移動機に対して報知されている。
【０００３】
移動機は、電源投入時には、予め設定されている制御チャネルを順次受信（スキャン）して、その制御チャネル中の受信信号強度（ＲＳＳＩ）を測定し、受信可能な制御チャネルを選択する。そして、起動された制御チャネルで送られてくる報知情報メッセージによって、無線制御に必要な情報を得る。また、移動機が、次に制御チャネルを起動するときに、再度、予め設定されている制御チャネルをスキャンして、起動する制御チャネルを選択している。
【０００４】
また、移動機は、報知チャネルにおいて報知された周辺セルの制御チャネル（とまり木チャネル）の情報に基づいて、周辺セルの制御チャネルの受信信号強度（ＲＳＳＩ）を測定する。そして、移動局は、この周辺セルの制御チャネルの受信信号レベルの測定結果に基づいて制御チャネルを受信信号強度順に並べた周辺レベル測定用テーブルを作成して、このレベル測定結果を基地局に報告している。
【０００５】
音声通信を開始するために通話チャネル（ＴＣＨ）を起動する際に、自ゾーンの制御チャネルに対応する通話チャネルを起動して、通話チャネルに移行して通信を行う。また、パケット通信を開始するためにユーザーパケットチャネル（ＵＰＣＨ）を起動する際に、移動機はその制御チャネルに対応したユーザーパケットチャネルを起動して、パケット通信を行う。
【発明の概要】
【発明が解決しようとする課題】
【０００６】
しかし、この制御チャネルの起動時には予め定められた制御チャネルの受信信号強度によって順位付けをして、受信信号強度の強い制御チャネルを選択して起動するが、受信信号強度が等しい制御チャネルが複数存在すると、いずれの制御チャネルが起動される可能性もある。この場合、ある制御チャネルから、この制御チャネルに対応する通話チャネルを起動したときには通信が成立するが、他の制御チャネルから、この制御チャネルに対応する通話チャネルを起動したときには、ノイズ、干渉等により通信品質が悪いために通話チャネルが起動しないことがある。すなわち、このような場合に、制御チャネルの選択によって通話チャネルの起動成功率（通信が成立する確率）が低下する問題があった。
【０００７】
本発明は、移動機が制御チャネルのレベル（ＲＳＳＩ）を測定して、制御チャネル起動用テーブルを作成するときに、通話チャネルの起動成功率を考慮して起動する制御チャネルの優先度を決定する移動機を提供することを目的とする。
【課題を解決するための手段】
【０００８】
第１の発明は、選択されたチャネルで基地局との間で無線通信を行う無線通信機において、予め定められた複数の制御チャネルを監視する監視手段と、前記監視手段による監視結果に基づいて、制御チャネルを選択する優先度を決定する優先度決定手段と、前記優先度決定手段が決定した優先度に基づいて、前記無線通信機が使用する制御チャネルを選択するチャネル選択手段とを備え、前記優先度決定手段は、前記制御チャネルのうち、ある制御チャネルから通信用チャネルの起動に成功すると、前記起動に成功した通信用チャネルに対応する制御チャネルの優先度を変更することを特徴とする。
【０００９】
第２の発明は、第１の発明において、前記優先度決定手段は、前記通信が成立したチャネルに関する制御チャネルの監視結果を変更する監視結果変更手段を有し、前記監視結果変更手段が当該チャネルに関する監視結果を変更することによって、当該チャネルに関する優先度が変更されることを特徴とする。
【００１０】
第３の発明は、第１の発明において、前記優先度決定手段は、前記通信が成立したチャネルに関する制御チャネルの優先度を上位に変更する優先順位変更手段を有し、前記優先順位変更手段が当該チャネルに関する順位を上位に変更することによって、当該チャネルに関する優先度が変更されることを特徴とする。
【００１１】
第４の発明は、第１〜第３の発明において、前記無線通信として第１の手順による通信と、第２の手順による通信とを行う通信手段を備え、前記優先度決定手段は、第１の手順による通信と、第２の手順による通信とで別に制御チャネルの優先度を設定することを特徴とする。
【００１２】
第５の発明は、第４の発明において、前記通信手段が、前記第１の手順による通信から前記第２の手順による通信に、又は、前記第２の手順による通信から前記第１の手順による通信に変更をするとき、変更先の通信手順で用いる制御チャネルに関する情報を前記無線通信機が取得していないときは前記制御チャネルの優先度の変更を解除し、変更先の通信手順で用いる制御チャネルに関する情報を前記無線通信機が取得することができれば、当該取得した情報に基づいて、変更後の通信手順で用いる制御チャネルの優先度を変更することを特徴とする。
【００１３】
第６の発明は、第５の発明において、前記第１の手順による通信は音声通信であり、前記第２の手順による通信はパケット通信であることを特徴とする。
【００１４】
第７の発明は、第１〜第６の発明において、前記優先度決定手段は、待受中に、待受に用いる制御チャネルを変更するときは、前記制御チャネルの優先度の変更を解除することを特徴とする。
【００１５】
第８の発明は、第１〜第７の発明において、前記優先度決定手段は、通信中に、通信用チャネルを変更するときに、変更先の通信用チャネルに関する情報を前記無線通信機が取得していないときは前記制御チャネルの優先度の変更を解除し、変更先の通信用チャネルに関する情報を前記無線通信機が取得することができれば、当該取得した情報に基づいて、変更先の制御チャネルの優先度を変更することを特徴とする。
【発明の効果】
【００１６】
第１の発明では、選択されたチャネルで基地局との間で無線通信を行う無線通信機において、予め定められた複数の制御チャネルを監視する監視手段と、監視手段による監視結果に基づいて、制御チャネルを選択する優先度を決定する優先度決定手段
と、優先度決定手段が決定した優先度に基づいて、無線通信機が使用する制御チャネルを選択するチャネル選択手段とを備え、優先度決定手段は、制御チャネルのうち、ある制御チャネルから通信用チャネルの起動に成功すると、起動に成功した通信用チャネルに対応する制御チャネルの優先度を変更するので、一度通信が成立したチャネルに対して優先的に接続することから、チャネルの起動成功率を向上させることができる。
【００１７】
第２の発明では、優先度決定手段は、通信が成立したチャネルに関する制御チャネルの監視結果を変更する監視結果変更手段を有し、監視結果変更手段が当該チャネルに関する監視結果を変更することによって、当該チャネルに関する優先度が変更されるので、監視結果が良好で起動される確率が高いチャネルのうち、一度通信が成立したチャネルの優先度をより上位に位置させて、一度通信が成立したチャネルに対して優先的に接続することができ、チャネルの起動成功率を向上させることができる。
【００１８】
第３の発明では、優先度決定手段は、通信が成立したチャネルに関する制御チャネルの優先度を上位に変更する優先順位変更手段を有し、優先順位変更手段が当該チャネルに関する順位を上位に変更することによって、当該チャネルに関する優先度が変更されるので、監視結果が良好で起動される確率が高いチャネルのうち、一度通信が成立したチャネルの優先度を確実に上位に位置させて、一度通信が成立したチャネルに対して優先的に接続することができ、チャネル起動の成功率を向上させることができる。
【００１９】
第４の発明では、無線通信として第１の手順による通信と、第２の手順による通信とを行う通信手段を備え、優先度決定手段は、第１の手順による通信と、第２の手順による通信とで別に制御チャネルの優先度を設定するので、通信手順毎に起動に適したチャネルを選択することができる。
【００２０】
第５の発明では、通信手段が、第１の手順による通信から第２の手順による通信に、又は、第２の手順による通信から第１の手順による通信に変更をするとき、変更先の通信手順で用いる制御チャネルに関する情報を無線通信機が取得していないときは制御チャネルの優先度の変更を解除し、変更先の通信手順で用いる制御チャネルに関する情報を無線通信機が取得することができれば、当該取得した情報に基づいて、変更後の通信手順で用いる制御チャネルの優先度を変更するので、通信手順の変更後も起動に適するチャネルを選択することができる。
【００２１】
第６の発明では、第１の手順による通信は音声通信であり、第２の手順による通信はパケット通信としたので、パケット通信が提供されているゾーンにおけるチャネルの優先度に影響されることなく、通話に関するチャネルとパケット通信に関するチャネルとのいずれも適切に起動することができる。
【００２２】
第７の発明では、優先度決定手段は、待受中に、待受に用いる制御チャネルを変更するときは、制御チャネルの優先度の変更を解除するので、ゾーン移行したときにチャネルに関する誤った情報を引き継ぐことがない。
【００２３】
第８の発明では、優先度決定手段は、通信中に、通信用チャネルを変更するときに、変更先の通信用チャネルに関する情報を無線通信機が取得していないときは制御チャネルの優先度の変更を解除し、変更先の通信用チャネルに関する情報を無線通信機が取得することができれば、当該取得した情報に基づいて、変更先の制御チャネルの優先度を変更するので、ハンドオーバしたときに制御チャネルに関する誤った情報を引き継ぐことがない。
【図面の簡単な説明】
【００２４】
【図１】本発明の実施の形態の移動機のブロック図である。
【図２】本発明の実施の形態の制御チャネル起動用テーブルの説明図である。
【図３】本発明の実施の形態の制御チャネル起動用テーブルの説明図である。
【図４】本発明の実施の形態の移動機の状態遷移図である。
【発明を実施するための形態】
【００２５】
次に、本発明の実施の形態について図面を参照して説明する。
【００２６】
図１は、本発明の実施の形態の移動機（携帯電話機）のブロック図である。
【００２７】
アンテナ１は送信部２及び受信部３に接続されており、無線基地局からの電波（下りの信号）を受信し、無線基地局に対し電波（上りの信号）を送信する。無線部２は送信部３及び受信部４により構成され、送信部３はアンテナ１から送信する高周波信号を生成する。受信部４はアンテナ１で受信した高周波信号に増幅、周波数変換等をして、ベースバンド信号としてバースバンド処理部５に出力する。
【００２８】
ベースバンド処理部５はベースバンド信号を復調回路によって復調する。復調された信号は、符号化・復号化部６に送られ、符号化・復号化部６にて音声信号、データ信号に復号化される。また、符号化・復号化部６は音声信号、データ信号を符号化し、符号化された信号はベースバンド処理部５に送られ、変調される。
変調された信号は、送信部３にて高周波信号に変換され、アンテナ１から送信される。
【００２９】
また、制御部９は、無線部２、ベースバンド処理部５、符号化・復号化部６等の携帯電話機の各部を制御する。無線部２に対してチャネルを指定して、送受信周波数を制御する。また、表示部１１に対しては、文字情報、携帯電話機の動作状態を表示する表示データを送り、操作部１２からの、文字、数字の入力、携帯電話機への動作の指示を受け付ける。
【００３０】
本発明では、制御部９は、予め記憶されている制御チャネル（とまり木チャネル）番号を記憶部１０から読み出して、このとまり木チャネルを順次受信し測定した受信信号強度（ＲＳＳＩ）に基づいて、制御チャネル起動用テーブルを作成し、強い受信信号強度を与える制御チャネルを起動する。
【００３１】
図２は、本発明の実施の形態の移動機における、予め記憶されている制御チャネル（とまり木チャネル）の情報から制御チャネル起動用テーブルの作成を説明する図である。
【００３２】
移動機の記憶部１０には、移動機が最初に受信すべき制御チャネル番号が記憶されている。移動機は、電源投入時に、この制御チャネル（とまり木チャネル）番号に基づき、とまり木チャネルにおいて基地局から送信されている信号を順次受信し、各チャネルにおける受信信号強度（ＲＳＳＩ）を測定し、とまり木チャネルを受信信号強度順に並べた制御チャネル起動用テーブルを作成する。
【００３３】
図３は、本発明の実施の形態の移動機における、とまり木チャネルにオフセットをかけた制御チャネル起動用テーブルの作成を説明する図である。 
【００３４】
制御チャネル起動用テーブルには移動機が最初に受信すべきとまり木チャネルが受信信号強度順に並んでいる。ある移動機が１０のとまり木チャネルを順次受信し、図３の左表のような受信結果を得た。このとき、とまり木チャネル２、４、７が同一レベルであるので、移動機はテーブルの上位のとまり木チャネルを起動し、待ち受け動作に入る。そして、移動機からの発呼、又は、移動機への着呼が生じて、通話に入るときに、待ち受け中のとまり木チャネルに対応する通話チャネルを起動する。
【００３５】
しかし、これらのテーブルの上位に位置するとまり木チャネルの受信信号強度が強くても、基地局からの受信信号強度以外の要因（例えば、干渉波、外来ノイズ等）により、そのとまり木チャネルに対応する通話チャネルを起動することができず、そのとまり木チャネルからの通信に失敗する場合がある。例えば、移動機がとまり木チャネル７を選択して、とまり木チャネルを起動して待ち受けをする確率は３分の１程度となる。すなわち、とまり木チャネル２と、とまり木チャネル４とに対応する通話チャネルには干渉波が存在し通話困難である場合、とまり木チャネル２又はとまり木チャネル４にて待ち受けて、これらのとまり木チャネルに対応する通話チャネルの起動を試みても、通話チャネルの起動に失敗して、とまり木チャネルの再起動等の処理が必要となり、トラフィックが増加する原因となる。また、ハンドオーバ時に、このような制御チャネルの受信信号強度は強いが、通話チャネルの通信品質が低いチャネルが基地局から指定されると、ハンドオーバに失敗して、通話断の原因ともなる。
【００３６】
そこで、一度、とまり木チャネル７にて通話チャネルの起動に成功したならば、とまり木チャネル７の受信信号強度に所定の値（本実施の形態では１０ｄＢμ）を加算している。これにより制御チャネル起動用テーブルにおいて、とまり木チャネル７が上位にくることとなる。よって、移動機が制御チャネル起動用テーブルの上位に位置するとまり木チャネル７から起動をかけるので、通話チャネルの起動に失敗することがなく、通信の成立、ハンドオーバに失敗することが少なくなる。
【００３７】
次に、ユーザーパケットチャネルの起動時の動作について図３に基づいて説明する。
【００３８】
前述したように、制御チャネル起動用テーブルには移動機が最初に受信すべきとまり木チャネルが受信信号強度順に並んでいる。ある移動機が１０のとまり木チャネルで基地局から送信されている信号を順次受信し、図３の左表のような受信結果を得た。このとき、とまり木チャネル２、４、７が同一レベルであるので、移動機はテーブルの上位のとまり木チャネル（ＣＣＨ）を起動し、待ち受け動作に入る。そして、移動機からのパケット通信の発呼、又は、移動機へのパケット通信の着呼が生じて、パケット通信に入るときに、待ち受け中のとまり木チャネルに対応するユーザーパケットチャネルを起動する。
【００３９】
しかし、これらのテーブルの上位に位置するとまり木チャネルの受信信号強度が強くても、基地局からの受信信号強度以外の要因（例えば、干渉波、外来ノイズ等）により、そのとまり木チャネルに対応するユーザーパケットチャネルを起動することができず、そのとまり木チャネルからの通信に失敗する場合がある。例えば、移動機がとまり木チャネル７を選択し、起動して待ち受けをする確率は３分の１程度となる。すなわち、とまり木チャネル２と、とまり木チャネル４とに対応するユーザーパケットチャネルには干渉波が存在し、パケット通信が困難である場合、とまり木チャネル２又はとまり木チャネル４にて待ち受けて、これらのとまり木チャネルに対応するユーザーパケットチャネルの起動を試みても、通話チャネルの起動に失敗して、とまり木チャネルの再起動等の処理が必要となり、トラフィックが増加する原因となる。また、ハンドオーバ時に、このような制御チャネルの受信信号強度は強いが、ユーザパケットチャネルの通信品質が低いチャネルを選択すると、ハンドオーバに失敗して、通話断の原因ともなる。
【００４０】
そこで、一度、とまり木チャネル７にてユーザーパケットチャネルの起動に成功したならば、前述した通話チャネルの起動に成功した場合と同様に、とまり木チャネル７の受信信号強度に所定の値（本実施の形態では１０ｄＢμ）を加算している。これにより制御チャネル起動用テーブルにおいて、とまり木チャネル７が上位にくることとなる。よって、移動機が上位に位置するとまり木チャネル７から起動をかけるので、ユーザーパケットチャネルの起動に失敗することがなく、通信の成立、ハンドオーバに失敗することが少なくなる。
【００４１】
本実施の形態では、制御チャネル起動用テーブルに関し、通話チャネル（ＴＣＨ）の起動に関連したオフセットと、ユーザーパケットチャネル（ＵＰＣＨ）の起動に関連したオフセットとを別個に設けており、各通信方式にあわせた通信用チャネルの起動状況によりとまり木チャネルが選択される優先度を定めている。すなわち、通話チャネル（ＴＣＨ）を起動した後（音声通信の後）は、その起動に成功した通話チャネルに対応する制御チャネルが、制御チャネル起動用テーブルの上位に位置することから、その制御チャネルが優先的に起動され、その制御チャネルで待ち受け動作を行う。また、ユーザーパケットチャネル（ＵＰＣＨ）を起動した後（パケット通信の後）は、その起動に成功したユーザーパケットチャネルに対応する制御チャネルが、制御チャネル起動用テーブルの上位に位置することから、その制御チャネルが優先的に起動され、その制御チャネルで待ち受け動作を行う。
【００４２】
本実施の形態では、起動に成功した通話チャネル、ユーザーパケットチャネルに関係するとまり木チャネルの受信信号強度の測定値に所定値を加え、そのとまり木チャネルが制御チャネル起動用テーブルの上位に来るようにオフセットをかけているが、起動に成功したとまり木チャネルの制御チャネル起動用テーブルにおいて、上位に位置するように順位を変更してオフセットをかけるように構成してもよい。
【００４３】
図４は、本発明の実施の形態の移動機の状態遷移図である。
【００４４】
移動機は電源が投入されると、予め記憶されている制御チャネル番号を記憶部１０から読み出して、この制御チャネル（とまり木チャネル）を順次受信（スキャン）する。そして、どの制御チャネルにおいても基地局からの信号が受信できなかったら、スキャンを終了し、圏外状態とする。このとき、どのとまり木チャネルにおいても受信信号強度の測定結果が得られないので、制御チャネル起動用テーブルに設定されていたとまり木チャネルの優先順位に関するオフセットは初期化（クリア）される。
【００４５】
一方、予め記憶されている制御チャネルをスキャンし、周辺の制御チャネルの受信信号強度（ＲＳＳＩ）の測定が終了したら、受信信号強度の大きい順に制御チャネルを並べて、制御チャネル起動用テーブルを作成して、従来、制御チャネル起動用テーブルに設定されていたオフセットを初期化（クリア）する。そして、強い受信信号強度を与える制御チャネルでの待受に移行する。
【００４６】
待受状態で現在受信中の制御チャネルの受信品質が劣化した等の理由によって、移動機が他のゾーンに移行（ＣＣＨ→ＣＣＨへ移行）すると、制御チャネルに対応する通話用チャネル（ＴＣＨ、ＵＰＣＨ）の受信品質も変化している可能性があるので、とまり木チャネルのオフセットを初期化（クリア）して、制御チャネル起動用テーブルの受信信号強度値の補正を解除し、順位を補正前の状態に戻す。
【００４７】
また、待受状態から通信が確立して、通話チャネル（ＴＣＨ）が起動し、制御チャネル（ＣＣＨ）から通話チャネルに移行したら、その通話チャネルを起動した制御チャネルが上位になるようにオフセットをかけ、今後その制御チャネルが優先的に選択されるように、制御チャネル起動用テーブルを更新する。
【００４８】
そして、通話中に移動機の位置が変化し、他のゾーンに移行して他の通話チャネルに切り替わったら（ハンドオーバしたら）、移行先の通話チャネルの起動元となる制御チャネルが分からないことから、とまり木チャネルのオフセットを初期化（クリア）して、制御チャネル起動用テーブルの受信信号強度値の補正を解除し、順位を補正前の状態に戻す。このときハンドオーバ先の通話チャネルに関係する制御チャネルが分かったら、その制御チャネルでは通話チャネルを起動することができることから、その制御チャネルに優先的に接続されるようにオフセットをかけ、制御チャネル起動用テーブルを更新してもよい。
【００４９】
また、待受状態からパケット通信が確立して、パケット通信用のチャネルであるユーザーパケットチャネル（ＵＰＣＨ）が起動し、制御チャネル（ＣＣＨ）からユーザーパケットチャネルに移行したら、制御チャネル起動用テーブルにおいて、そのユーザーパケットチャネルを起動した制御チャネルが上位になるようにオフセットをかけ、今後その制御チャネルに優先的に接続されるように、制御チャネル起動用テーブルを更新する。
【００５０】
そして、通話中に移動機の位置が変化し、他のゾーンに移行して他のユーザーパケットチャネルに切り替わったら（ハンドオーバしたら）、とまり木チャネルのオフセットを初期化（クリア）して、制御チャネル起動用テーブルの受信信号強度値の補正を解除し、順位を補正前の状態に戻す。このとき、ユーザーパケットチャネルにおけるハンドオーバ時には、隣接チャネルの制御チャネル情報が一斉報知チャネルでの報知内容に含まれており、移動機が隣接ゾーンにおけるユーザーパケットチャネルに関する制御チャネル（とまり木チャネル）の情報を保有していることから、ハンドオーバ先のユーザーパケットチャネルに関係する制御チャネルを知ることができるので、今後その制御チャネルを優先的に接続されるようにオフセットをかけ、制御チャネル起動用テーブルを更新してもよい。
【００５１】
また、起動中のユーザーパケットチャネル（ＵＰＣＨ）から通話を開始するために通話チャネル（ＴＣＨ）に移行すると、オフセットを初期化（クリア）して、制御チャネル起動用テーブルの受信信号強度値の補正を解除し、順位を初期状態に戻す。このときユーザーパケットチャネルから起動した通話チャネルに関係する制御チャネルが分かったら、その通話チャネルの起動に支障がないことから、その制御チャネルを優先的に接続されるようにオフセットをかけ、制御チャネル起動用テーブルを更新してもよい。
【００５２】
本発明の実施の形態では、選択されたチャネルで基地局との間で無線通信を行う移動機において、予め記憶されている制御チャネル（とまり木チャネル）において基地局から送信されてくる信号の受信強度（ＲＳＳＩ）を監視する監視手段と、とまり木チャネルのＲＳＳＩに基づいてそのとまり木チャネルに接続する優先度を決定して、制御チャネル起動用テーブルを作成する優先度決定手段と、優先度決定手段が決定した優先度に基づいて、移動機と基地局とを接続するチャネルを選択するチャネル選択手段とを備え、優先度決定手段は、これらの制御チャネルのうち特定のチャネルに対応する通信用チャネル（ＴＣＨ、ＵＰＣＨ）において通信が確立すると、当該特定のチャネルに関する優先度を変更するので、一度通信が確立したチャネルに対して、以後の接続において優先的に接続することから、チャネル起動の成功率を向上させることができる。
【００５３】
また、優先度決定手段は通信が確立した制御チャネルに関する受信信号強度に所定値を加算するＲＳＳＩ変更手段を有するので、制御チャネル起動用テーブルの上位に位置するＲＳＳＩが良好なとまり木チャネルのうち、通信用チャネル（ＴＣＨ、ＵＰＣＨ）の起動に成功したとまり木チャネルを制御チャネル起動用テーブルのより上位に位置させて、一度通信が確立したとまり木チャネルに対して優先的に接続することができ、チャネルの起動の成功率を向上させることができる。
【００５４】
また、優先度決定手段は、通信が確立したとまり木チャネルに関する優先度を上位に変更する優先順位変更手段を有し、優先順位変更手段により当該チャネルに関する順位が上位に変更されることにより、通信用チャネル（ＴＣＨ、ＵＰＣＨ）の起動に成功したチャネルに関する優先順位を変更するので、制御チャネル起動用テーブルの上位に位置するＲＳＳＩが良好なとまり木チャネルのうち、起動に成功したとまり木チャネルを制御チャネル起動用テーブルのより上位に位置させて、一度通信が確立したとまり木チャネルに対して優先的に接続することができ、チャネルの起動の成功率を向上させることができる。
【００５５】
また、移動機は通話チャネル（ＴＣＨ）を用いた音声通信と、ユーザーパケットチャネル（ＵＰＣＨ）を用いたパケット通信とを行うことができ、優先度決定手段は、移動機は通話チャネル（ＴＣＨ）を用いた通信に関連するオフセットと、ユーザーパケットチャネル（ＵＰＣＨ）を用いた通信に関連するオフセットとを別個に設定するので、通信手順毎に起動に最適なチャネルを選択することができる。
【００５６】
すなわち、移動機が最初に受信すべきとまり木チャネルにおいて基地局から送信されてくる信号の受信強度（ＲＳＳＩ）を監視する監視手段と、とまり木チャネルのＲＳＳＩに基づいて制御チャネル起動用テーブルを作成する優先度決定手段と、とまり木チャネルの受信信号強度に依存する制御チャネル起動用テーブルにおけるとまり木チャネルの順位に基づいて移動機と基地局とを接続するチャネルが選択されるチャネル選択手段とを備え、優先度決定手段は移動機が最初に受信すべきとまり木チャネルのうち特定のチャネルにおいて通信用チャネル（ＴＣＨ、ＵＰＣＨ）の起動し、通信が確立すると、以後の接続において特定のチャネルに関する優先度を変更するので、一度通信が確立した通信用チャネルに対応するとまり木チャネルで待ち受け動作をして、これらのとまり木チャネルに対応する通信用チャネルに対して優先的に接続することから、チャネル接続の成功率を向上させることができる。
【００５７】
また、移動機が、通話チャネル（ＴＣＨ）を用いた通信と、ユーザーパケットチャネル（ＵＰＣＨ）を用いた通信との間で通信手段を変更するときに、変更先の通信手順におけるとまり木チャネルのオフセットを消去（優先度を初期化）するので、制御チャネルに関する誤った情報を引き継ぐことがない。さらに、変更先の通信手順で用いるチャネルに関する制御チャネルの情報を移動機が取得することができれば、その情報を取得して、変更先のチャネルに関する優先度を当該チャネルの起動に基づいて変更するので、通信手順の変更後も適切な制御チャネルを選択することができる。
【００５８】
また、優先度決定手段は、待受中に待受に用いる制御チャネル（ＣＣＨ）を変更したときは、移動機が最初に受信すべき制御チャネルのオフセットを消去（優先度を初期化）するので、制御チャネルに関する誤った情報を引き継ぐことがない。さらに、優先度決定手段は、通信中にチャネル（ＴＣＨ、ＵＰＣＨ）を変更したときに、制御チャネルのオフセットを消去（優先度を初期化）するので、制御チャネルに関する誤った情報を引き継ぐことがない。
【００５９】
また、変更先のチャネルに関する制御チャネルの情報を移動機が取得することができれば、その情報を取得して、変更先のチャネルに関する優先度を当該チャネルの起動に基づいて変更するので、通信手順の変更後も適切なチャネルを選択することができる。
【符号の説明】
【００６０】
１ アンテナ
２ 無線部
３ 送信部
４ 受信部
５ ベースバンド処理部
６ 符号化・復号化部
７ 送話部
８ 受話部
９ 制御部
１０ 記憶部
１１ 表示部
１２ 操作部
２０ 移動機（携帯電話機）
３０ 基地局
【図１】
2010283866.tif 000003
【図２】
2010283866.tif 000004
【図３】
2010283866.tif 000005
【図４】
2010283866.tif 000006
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
複数の接続情報を保持するとともに、当該複数の接続情報それぞれについての信号強度を監視する監視手段と、前記複数の接続情報の内のいずれか一の接続情報に基づき、第１の手順あるいは第２の手順による通信を行う通信手段と、前記監視手段による監視結果に基づいて、前記第１の手順及び前記第２の手順それぞれにおける前記複数の接続情報の優先順位を決定する優先順位決定手段と、前記第１の手順と前記第２の手順との手順のうち、使用する手順に対応する優先順位に基づいて、前記通信手段によって通信を行うための接続情報を決定する接続情報決定手段と、を備え、前記優先順位決定手段は、前記接続情報決定手段によって決定された所定の接続情報によって通信に成功した場合、当該所定の接続情報の優先順位を変更することを特徴とする無線通信機。
【請求項２】
前記優先順位決定手段は、前記通信手段によって通信に成功した場合、前記所定の接続情報の監視結果に対する変更を行うことによって、当該所定の接続情報に関する優先順位を変更することを特徴とする請求項１に記載の無線通信機。
【請求項３】
前記優先順位決定手段は、前記通信手段によって通信に成功した場合、前記所定の接続情報の優先順位を上位に変更することによって、当該所定の接続情報に関する優先順位を変更することを特徴とする請求項１に記載の無線通信機。
【請求項４】
前記優先順位決定手段は、前記所定の接続情報の優先順位の変更がされた後、前記通信手段によって通信することのできない圏外状態となると、前記所定の接続情報の優先順位の変更を解除することを特徴とする請求項１から３のいずれか一項に記載の無線通信機。
【請求項５】
前記優先順位決定手段は、前記所定の接続情報の優先順位の変更がされた後、前記通信手段による通信手順の変更が生じると、前記所定の接続情報の優先順位の変更を解除することを特徴とする請求項１から４のいずれか一項に記載の無線通信機。
【請求項６】
前記第１の手順による通信は音声通信であり、前記第２の手順による通信はパケット通信であることを特徴とする請求項１から５に記載の無線通信機。
【請求項７】
前記優先順位決定手段は、前記所定の接続情報の優先順位の変更がされた後、前記通信手段によるハンドオーバが生じると、前記所定の接続情報の優先順位の変更を解除することを特徴とする請求項１から６のいずれか一つに記載の無線通信機。
【請求項８】
複数の接続情報を保持するとともに、当該複数の接続情報それぞれについての信号強度を監視する第１ステップと、前記複数の接続情報の内のいずれか一の接続情報に基づき、第１の手順あるいは第２の手順による通信を行う第２ステップと、前記監視結果に基づいて、前記第１の手順及び前記第２の手順それぞれにおける前記複数の接続情報の優先順位を決定する第３ステップと、前記第１の手順と前記第２の手順との手順のうち、使用する手順に対応する優先順位に基づいて、前記通信手段によって通信を行うための接続情報を決定する第４ステップと、前記第４ステップによって決定された所定の接続情報によって通信に成功した場合、当該所定の接続情報の優先順位を変更することを特徴とする無線通信方法。
【手続補正２】
【補正対象書類名】明細書
【補正対象項目名】０００６
【補正方法】変更
【補正の内容】
【０００６】  しかし、制御チャネルを一例とする接続情報に基づき、通信を行おうとしてもノイズや干渉等により通信品質が悪いために通信に失敗するという問題があった。
【手続補正３】
【補正対象書類名】明細書
【補正対象項目名】０００７
【補正方法】変更
【補正の内容】
【０００７】  本発明は、通信の成功率の高い接続情報に基づいて通信を行う移動機を提供することを目的とする。
【手続補正４】
【補正対象書類名】明細書
【補正対象項目名】０００８
【補正方法】変更
【補正の内容】
【０００８】第１の発明は、複数の接続情報を保持するとともに、当該複数の接続情報それぞれについての信号強度を監視する監視手段と、前記複数の接続情報の内のいずれか一の接続情報に基づき、第１の手順あるいは第２の手順による通信を行う通信手段と、前記監視手段による監視結果に基づいて、前記第１の手順及び前記第２の手順それぞれにおける前記複数の接続情報の優先順位を決定する優先順位決定手段と、前記第１の手順と前記第２の手順との手順のうち、使用する手順に対応する優先順位に基づいて、前記通信手段によって通信を行うための接続情報を決定する接続情報決定手段と、を備え、前記優先順位決定手段は、前記接続情報決定手段によって決定された所定の接続情報によって通信に成功した場合、当該所定の接続情報の優先順位を変更することを特徴とする。
【手続補正５】
【補正対象書類名】明細書
【補正対象項目名】０００９
【補正方法】変更
【補正の内容】
【０００９】第２の発明は、第１の発明において、前記優先順位決定手段は、前記通信手段によって通信に成功した場合、前記所定の接続情報の監視結果に対する変更を行うことによって、当該所定の接続情報に関する優先順位を変更することを特徴とする。
【手続補正６】
【補正対象書類名】明細書
【補正対象項目名】００１０
【補正方法】変更
【補正の内容】
【００１０】第３の発明は、第１の発明において、前記優先順位決定手段は、前記通信手段によって通信に成功した場合、前記所定の接続情報の優先順位を上位に変更することによって、当該所定の接続情報に関する優先順位を変更することを特徴とする。
【手続補正７】
【補正対象書類名】明細書
【補正対象項目名】００１１
【補正方法】変更
【補正の内容】
【００１１】第４の発明は、前記優先順位決定手段は、前記所定の接続情報の優先順位の変更がされた後、前記通信手段によって通信することのできない圏外状態となると、前記所定の接続情報の優先順位の変更を解除することを特徴とする。
【手続補正８】
【補正対象書類名】明細書
【補正対象項目名】００１２
【補正方法】変更
【補正の内容】
【００１２】第５の発明は、第１から第４の発明において、前記優先順位決定手段は、前記所定の接続情報の優先順位の変更がされた後、前記通信手段による通信手順の変更が生じると、前記所定の接続情報の優先順位の変更を解除することを特徴とする。
【手続補正９】
【補正対象書類名】明細書
【補正対象項目名】００１３
【補正方法】変更
【補正の内容】
【００１３】第６の発明は、第１から第５の発明において、前記第１の手順による通信は音声通信であり、前記第２の手順による通信はパケット通信であることを特徴とする。
【手続補正１０】
【補正対象書類名】明細書
【補正対象項目名】００１４
【補正方法】変更
【補正の内容】
【００１４】第７の発明は、第１から第６の発明において、前記優先順位決定手段は、前記所定の接続情報の優先順位の変更がされた後、前記通信手段によるゾーンの移行を検出すると、前記所定の接続情報の優先順位の変更を解除することを特徴とする。
【手続補正１１】
【補正対象書類名】明細書
【補正対象項目名】００１５
【補正方法】変更
【補正の内容】
【００１５】  第８の発明は、複数の接続情報を保持するとともに、当該複数の接続情報それぞれについての信号強度を監視する第１ステップと、前記複数の接続情報の内のいずれか一の接続情報に基づき、第１の手順あるいは第２の手順による通信を行う第２ステップと、前記監視結果に基づいて、前記第１の手順及び前記第２の手順それぞれにおける前記複数の接続情報の優先順位を決定する第３ステップと、前記第１の手順と前記第２の手順との手順のうち、使用する手順に対応する優先順位に基づいて、前記通信手段によって通信を行うための接続情報を決定する第４ステップと、前記第４ステップによって決定された所定の接続情報によって通信に成功した場合、当該所定の接続情報の優先順位を変更することを特徴とする。
【手続補正１２】
【補正対象書類名】明細書
【補正対象項目名】００１６
【補正方法】変更
【補正の内容】
【００１６】  本発明は、通信の成功率の高い接続情報に基づいて通信を行う移動機を提供する。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】